(57)【要約】【課題】本発明の目的は、施工が容易で現場作業の簡略化を図ることができる間仕切耐力壁を提供することにある。また、本発明の他の目的は、壁体の剛性を確保でき、汎用性の高い間仕切耐力壁を提供することにある。【解決手段】本発明の間仕切耐力壁は、一対の間仕切耐力柱１ａ，１ａ間に間仕切耐力ブレース１ｂを十字状に掛け渡して構成した耐力面の両側に、一対の間仕切下地２，２を備えている。前記間仕切下地２は、前記一対の間仕切耐力柱１ａ，１ａの上端部間に配設された上部ランナー２ａと、下端部間に配設された下部ランナー２ｂとを備え、前記上部ランナー２ａと下部ランナー２ｂとの間に複数のスタッド２ｃを立設して構成される。前記耐力面を挟んで正対するスタッド同士は、間隔保持片３ａとスタッド２ｃに嵌着する嵌着部とを有するスタッドスペーサー３により、所定の間隔を保持して連結される。【選択図】        図１
2004300663.tif 000002
【特許請求の範囲】
【請求項１】
一対の間仕切耐力柱間に間仕切耐力ブレースを掛け渡して構成された耐力面を有する間仕切耐力フレームと、前記耐力面の両側に配設された一対の間仕切下地と、前記一対の間仕切下地を所定の間隔を保持して連結する連結部材と、を有する間仕切耐力壁であって、
前記間仕切下地は、前記一対の間仕切耐力柱間に所定間隔をおいて配設される一対のランナーと、前記一対のランナーに両端部を支持されて配設されるスタッドと、を有し、
前記連結部材は、前記間仕切下地を構成するスタッドに装着されることを特徴とする間仕切耐力壁。
【請求項２】
前記一対のランナーは略コの字形状断面の長尺部材からなり、前記スタッドは角形断面の長尺部材からなり、前記一対のランナーは、前記一対の間仕切耐力柱の上端部間と下端部間とにそれぞれ前記略コの字形状断面の開放面を互に対向させて配設され、前記スタッドは、両端を前記一対のランナーによって挟持されて立設されることを特徴とする、請求項１に記載の間仕切耐力壁。
【請求項３】
前記連結部材は、前記一対のスタッド間に所定の間隔を保持する間隔保持片と、前記一対のスタッドにそれぞれ嵌着する嵌着部とを有し、該嵌着部は、前記スタッドに当接する当接面と、該当接面に連続して設けられ、前記スタッドを挟持する一対の挟持片とを有してなることを特徴とする、請求項１または請求項２に記載の間仕切耐力壁。
【発明の詳細な説明】
【０００１】
【発明の属する技術分野】
本発明は、間仕切壁に関するものであり、より詳細には、鋼製のスタッド材で構成された間仕切下地と、間仕切耐力ブレースと、を有する間仕切耐力壁に関するものである。
【０００２】
【従来の技術】
従来より、建築物又は工作物の間仕切壁において、鋼製スタッドにより間仕切下地を構成したものがある。このような間仕切下地を使用する場合は、壁芯に沿って鋼製スタッドを所定間隔で配置し、その上端部及び下端部を天井ランナー及び床ランナーでそれぞれ支持し、鋼製スタッドの側面に壁面を形成するボードを貼設していた。
【０００３】
上記構成の間仕切壁のうち、構造躯体の縦柱間に間仕切耐力ブレースが設けられた間仕切耐力壁において、間仕切耐力ブレースの位置でスタッド材を切断し、ブレース通し穴を設けたブレースソケットによりスタッド材同士を接続した構造が知られている。（例えば、特許文献１）。
【０００４】
また、壁芯に沿って配設されたスタッドの両側面にそれぞれＵ字型断面のブレースを設け、ブレース部を除いたスタッドの側面部分にプラスターボード等の下地材を貼設するとともに、ブレース断面内部に充填材を貼着し、全体が面一となるよう構成した構造が知られている（例えば、特許文献２）。
【０００５】
また、鋼製スタッドにより間仕切下地を構成した遮音間仕切壁が知られている。この遮音間仕切壁は、ランナー材の断面巾がスタッド材の断面巾よりも大きく形成されている。そして、ランナーでスタッドの端部を支持する際には、スタッドの側面がランナーの一方の内法面に接するように立設し、他方の内法面とスタッドとの間に遮音壁用スペーサーを装着して一定の間隔を保持し、遮音壁用スペーサー側の壁面材とスタッドとが連結しないように構成されている。そして、スタッドは、壁芯に沿って配設されるランナーの平行な内法面に、互い違いに接するように配置される（いわゆる千鳥桟）ことにより、壁面材同士が連結しない構造となっている（例えば、特許文献３）。
【０００６】
【特許文献１】
特開平８−８２０２７号公報（第２頁、図３）
【特許文献２】
特許第２７５９６２９号公報（第２頁、図２）
【特許文献３】
特開平７−１１９２２６号公報（第２頁〜第３頁、図３、図５）
【０００７】
【発明が解決しようとする課題】
上記従来の技術は、いずれも、スタッド材の切断や、ビス固定による連結といった加工を現場で行わなければならず、さらには壁面を面一とするためにボードを所定形状に切断して貼設しなければならない等、施工が煩雑で手間を要するものであった。また、遮音壁の構造は、音の伝播を防止するために壁面材同士が連結しないようにしたものであるため、壁体の剛性としては劣るものであった。
【０００８】
本発明の目的は、施工が容易で現場作業の簡略化を図ることができる間仕切耐力壁を提供することにある。
【０００９】
本発明の他の目的は、壁体の剛性を確保できるとともに、汎用性の高い間仕切耐力壁を提供することにある。
【００１０】
【課題を解決するための手段】
上記課題を解決するための本発明の間仕切耐力壁の構造は、以下の通りである。（１）一対の間仕切耐力柱間に間仕切耐力ブレースを掛け渡して構成された耐力面を有する間仕切耐力フレームと、前記耐力面の両側に配設された一対の間仕切下地と、前記一対の間仕切下地を所定の間隔を保持して連結する連結部材と、を有する間仕切耐力壁であって、前記間仕切下地は、前記一対の間仕切耐力柱間に所定間隔をおいて配設される一対のランナーと、前記一対のランナーに両端部を支持されて配設されるスタッドと、を有し、前記連結部材は、前記間仕切下地を構成するスタッドに装着されることを特徴とする。
【００１１】
そして、このような構成により、ブレース材とスタッド材が干渉しないので、スタッド材を切断して連結する作業が不要である。また、ブレース材と壁仕上材との間に間仕切下地を有するため、壁仕上材を施工するためにボード等を所定形状に切断して壁面が面一になるよう貼設するという作業が不要である。従って、施工を容易にするとともに現場作業を簡略化し、品質の安定化を図ることができる。
【００１２】
（２）なお、前記一対のランナーは略コの字形状断面の長尺部材からなり、前記スタッドは角形断面の長尺部材からなり、前記一対のランナーは、前記一対の間仕切耐力柱の上端部間と下端部間とにそれぞれ前記略コの字形状断面の開放面を互に対向させて配設され、前記スタッドは、両端を前記一対のランナーによって挟持されて立設されるように構成すると良い。
【００１３】
このような構成により、壁厚を変更しても間仕切下地を構成するランナーとスタッドの部材品種を変更する必要がない。従って、汎用性の高い間仕切耐力壁を提供でき、部材品種の削減に寄与することができるため、好適である。
【００１４】
（３）さらに、前記連結部材については、前記一対のスタッド間に所定の間隔を保持する間隔保持片と、前記一対のスタッドにそれぞれ嵌着する嵌着部とを有し、該嵌着部は、前記スタッドに当接する当接面と、該当接面に連続して設けられ、前記スタッドを挟持する一対の挟持片を有してなるように構成すると良い。
【００１５】
このような構成により、ブレースに干渉しない位置であればどこでも連結可能であり、壁体の所要剛性に応じて連結部の位置や数を変更することができるため、汎用性の高い間仕切耐力壁を提供できる。また、ビス等の補助連結部材が不要であるため、施工を容易にするとともに現場作業の簡略化を図ることができる。
【００１６】
【発明の実施の形態】
以下、本発明の一実施の形態を図面に基づいて説明する。なお、以下に説明する部材、配置等は本発明を限定するものでなく、本発明の趣旨の範囲内で種々改変することができるものである。
【００１７】
図１は本発明の間仕切耐力壁を示す斜視図であり、図２は本発明の間仕切耐力壁を、間仕切耐力フレームと間仕切下地と連結部材（スタッドスペーサー）とに分解した状態を示した斜視図である。そして、図３は水平断面図（図１のＡ−Ａ’断面図）であり、図４は垂直断面図（図１のＢ−Ｂ’断面図）である。また、図５は本発明のスタッドスペーサーの斜視図であり、図６は本発明のスタッドスペーサーによるスタッドの連結方法を示す説明図である。
【００１８】
本発明の間仕切耐力壁は、図１及び図２に示すように、一対の間仕切耐力柱１ａ，１ａ間に間仕切耐力ブレース１ｂを斜めに交差させて掛け渡して構成された耐力面を有する間仕切耐力フレーム１を備えている。
【００１９】
前記耐力面の両側には、一対の間仕切下地２，２が設けられている。この間仕切下地２の構成は、以下の通りである。一対の間仕切耐力柱１ａ，１ａの上端部間に上部ランナー２ａを配設し、下端部間に下部ランナー２ｂを配設する。このとき、上部ランナー２ａ及び下部ランナー２ｂは、耐力面に対して同じ側に配設されている。そして、これら上部ランナー２ａと下部ランナー２ｂとの間に複数のスタッド２ｃを配設して構成されている。さらに、スタッド２ｃの側面には壁面材４（例えば、石膏ボード）が貼設されて壁面が形成されている。
【００２０】
前記上部ランナー２ａと下部ランナー２ｂは、図３に示すように、略コの字形状断面の鋼製の長尺材からなり、略コの字形状の開放面が対向するように配設され、それぞれ天井部５と床部６とに固着部材８（例えば、ビス）により固定される。
【００２１】
前記スタッド２ｃは中空部を有する角形断面の鋼製の長尺部材からなり、両端部をそれぞれ前記上部ランナー２ａと下部ランナー２ｂに挟持されて立設されている。
【００２２】
また、図３及び図４に示すように、前記スタッド２ｃは、耐力面をはさんで反対側にあるもう一方の間仕切下地を構成するスタッド２ｃと正対するように配設される。そして、正対するスタッド同士は、スタッドスペーサー３によって所定の間隔を保持して連結される。連結位置は各スタッドの端部から所定間隔ごととする。但し、間仕切耐力ブレース１ｂとスタッドスペーサー３が干渉する場合は、スタッドスペーサー３の位置を干渉しないところまでずらせるものとする。
【００２３】
前記スタッドスペーサー３は鋼板を折り曲げ成形して形成され、図５に示すように、前記正対する一対のスタッド間に所定の間隔を保持する間隔保持片３ａと、前記正対する一対のスタッド２ｃ，２ｃにそれぞれ嵌着する略コの字形の嵌着部３ｂ，３ｂとを有する。この嵌着部３ｂは、スタッド２ｃに当接する当接面３ｃと、当接面に連続して設けられ、前記スタッドを挟持する一対の挟持片３ｄ，３ｄとを有する。
【００２４】
前記スタッドスペーサー３を用いてスタッド同士を連結する際には、図６に示すように、まず、正対する一対のスタッド２ｃ，２ｃをそれぞれ耐力面から離間する方向に撓ませる。そして、このようにスタッド同士の間隔を拡げてから、スタッドスペーサー３をその間に割り込ませる。そして、挟持片３ｄ，３ｄと当接面３ｃで囲まれた略コの字形の嵌着部３ｂにスタッド２ｃを嵌着する。
【００２５】
なお、図５に示すように、挟持片３ｄには、挟持力を強めてスタッドスペーサー３が簡単に落下しないようにするため、スタッド２ｃ側に突出する突起部３ｅを設ける加工を施してもよい。また、当接面３ｃと間隔保持片３ａとの間の折曲部には、補強のためにリブ３ｆを形成するようにしてもよい。
【００２６】
また、スタッドスペーサーは、上記したものとは異なる形態であってもよい。図７は別実施例のスタッドスペーサーの斜視図であり、図８は図７に示すスタッドスペーサーによるスタッドの連結方法を示す説明図である。
【００２７】
前記スタッドスペーサー３が耐力面の面外方向からスタッドに嵌着するものであるのに対して、このスタッドスペーサー７は、耐力面の面内方向からスタッド２ｃに嵌着するように構成されている。
【００２８】
前記スタッドスペーサー７は、図７に示すように、間隔保持片７ａと嵌着部７ｂ，７ｂとを有し、嵌着部７ｂは、スタッド２ｃに当接する当接面７ｃと一対の爪片７ｄ，７ｄとを有する。
【００２９】
このような形状では、スタッドスペーサーによりスタッド同士を連結する際に、スタッド２ｃを耐力面から離間する方向に撓ませてスタッドスペーサー７を割り込ませる必要がないため、ランナーに近接する位置であっても容易にスタッド同士を連結することができ、より施工時の作業性が向上する。
【００３０】
【発明の効果】
以上のように、請求項１に係る発明によれば、スタッド材を切断して連結する作業が不要であり、壁仕上材を施工するためにボード等を所定形状に切断して壁面が面一になるよう貼設するという作業が不要である。従って、施工を容易にするとともに現場作業を簡略化し、品質の安定化を図ることができるという効果を奏する。
【００３１】
また、請求項２に係る発明によれば、壁厚を変更しても間仕切下地を構成するランナーとスタッドの部材品種を変更する必要がなく、汎用性の高い間仕切耐力壁を提供でき、部材品種の削減に寄与するという効果を奏する。
【００３２】
また、請求項３に係る発明によれば、ブレースに干渉しない位置であればどこでも連結可能であり、壁体の所要剛性に応じて連結部の位置や数を変更することができるため、汎用性の高い間仕切耐力壁を提供できるという効果を奏する。更に、ビス等の補助連結部材が不要であるため、施工を容易にするとともに現場作業の簡略化を図ることができるという効果を奏する。
【図面の簡単な説明】
【図１】本発明の間仕切耐力壁の斜視図である。
【図２】本発明の間仕切耐力壁の分解斜視図である。
【図３】本発明の間仕切耐力壁の水平断面図（図１のＡ−Ａ’断面図）である。
【図４】本発明の間仕切耐力壁の垂直断面図（図１のＢ−Ｂ’断面図）である。
【図５】本発明のスタッドスペーサーの斜視図である。
【図６】本発明のスタッドスペーサーによるスタッドの連結方法を示す説明図である。
【図７】別実施例のスタッドスペーサーの斜視図である。
【図８】別実施例のスタッドスペーサーによるスタッドの連結方法を示す説明図である。
【符号の説明】
１      間仕切耐力フレーム
１ａ    間仕切耐力柱
１ｂ    間仕切耐力ブレース
２      間仕切下地
２ａ    上部ランナー
２ｂ    下部ランナー
２ｃ    スタッド
３      スタッドスペーサー
３ａ    間隔保持片
３ｂ    嵌着部
３ｃ    当接面
３ｄ    挟持片
３ｅ    突起部
３ｆ    リブ
４      壁面材
５      天井部
６      床部
７      スタッドスペーサー
７ａ    間隔保持片
７ｂ    嵌着部
７ｃ    当接面
７ｄ    爪片
８      固着部材
【図１】
2004300663.tif 000003
【図２】
2004300663.tif 000004
【図３】
2004300663.tif 000005
【図４】
2004300663.tif 000006
【図５】
2004300663.tif 000007
【図６】
2004300663.tif 000008
【図７】
2004300663.tif 000009
【図８】
2004300663.tif 000010